(57)【要約】【課題】  携帯情報端末において、充電中に着信等のイベントが発生しても音を鳴らさないでイベントの発生を報知する設定にしていても、バイブレータの駆動音等の音が発生してしまう。【解決手段】  制御部１２は、携帯電話機２が音声着信すると、充電台１の上段部１ａを回転させて音声着信を報知する。また、制御部１２は、携帯電話機２が電子メールを着信すると、充電台１の上段部１ａおよび中段部１ｂを左右に動かして電子メールの着信を報知する。さらに、制御部１２は、時刻アラームが発生すると、充電台１の上段部１ａを上下に動かして時刻アラームの発生を報知する。また、制御部１２は、充電が完了すると、充電台１の上段部１ａを１８０°回転させて、充電が完了したことを報知する。【選択図】  図１
2006041746.tif 000002
【特許請求の範囲】
【請求項１】
携帯情報端末の充電台において、
前記携帯情報端末から前記携帯情報端末で発生したイベントを示す情報を受信する通信手段と、
前記携帯情報端末で発生したイベントを報知する報知手段と、
前記通信手段が前記携帯情報端末から受信した情報の種類に応じて、前記報知手段の動作を制御する制御手段と
を備えたことを特徴とする充電台。
【請求項２】
周囲に人がいるか否かを検知する検知手段を備え、
制御手段は、前記検知手段が周囲に人がいるか否かを検知した結果に応じて報知手段の動作を制御する
請求項１記載の充電台。
【請求項３】
報知手段は、充電台を動かす駆動部を含み、
制御手段は、携帯情報端末から受信した情報の種類に応じて、前記報知手段の前記駆動部の動きを制御する
請求項１または請求項２記載の充電台。
【請求項４】
報知手段は、情報を表示する表示部を含み、
制御手段は、携帯情報端末から受信した情報の種類に応じて、前記報知手段の前記表示部が表示する内容を制御する
請求項１から請求項３のうちいずれか１項記載の充電台。
【請求項５】
携帯情報端末の充電台が、前記携帯情報端末でイベントが発生したことを報知する方法において、
前記携帯情報端末から前記携帯情報端末で発生したイベントを示す情報を受信し、
前記携帯情報端末から受信した情報の種類に応じて、前記携帯情報端末で発生したイベントを報知する方法を決定し、
決定したイベントを報知する方法で前記携帯情報端末で発生したイベントを報知する
ことを特徴とするイベント発生報知方法。
【請求項６】
周囲に人がいるか否かを検知し、
周囲に人がいるか否かを検知した結果に応じて、イベントの発生を報知する方法を変更する
請求項５記載のイベント発生報知方法。
【発明の詳細な説明】
【技術分野】
【０００１】
本発明は、携帯情報端末で発生したイベントを報知する充電台およびイベント発生報知方法に関する。
【背景技術】
【０００２】
携帯情報端末には、音や光の点滅、振動等によって、着信や時刻アラームなどのイベントの発生を報知する機能が備えられており、ユーザは、使用形態に応じてイベントの発生を報知する方法を設定する。しかし、ユーザが離席していたりして、近くにいない場合、着信音が鳴り続けたりして、イベントの発生の報知が周囲の他の人への迷惑になることがある。
【０００３】
そのため、携帯情報端末にイベントの発生を報知する方法を、着信音がならないように設定し、充電台を用いて充電を行う場合がある。そのような場合、イベントの発生時には、光が点滅したりしてイベントの発生を報知する。しかし、光を発生させる発光体は、一般に小さいため、光が弱く、ユーザがイベントの発生に気が付かない場合がある。また、イベントの発生時にバイブレータ駆動するように設定していても、バイブレータ駆動によって振動音が発生し、音を発生しないことを目的に設定したユーザの目的に反して、音が発生してしまう。
【０００４】
そこで、充電装置にポールを設置し、イベントの発生時にポールを動かすことによってイベントの発生を報知する充電装置が提案されている（例えば、特許文献１参照。）。
【０００５】
また、人形や、動物型の充電装置であって、イベントの発生時等に、充電装置の手足等を動かすことによってイベントの発生を報知する充電装置が提案されている（例えば、特許文献２参照。）
【０００６】
【特許文献１】特開２００１−１６７９２号公報  （段落（００１６）〜（００２７）、図１）
【特許文献２】特開２００２−３６８８５８号公報  （段落（００１８）〜（００９５）、図１）
【発明の開示】
【発明が解決しようとする課題】
【０００７】
しかし、特許文献１および特許文献２に記載されている充電装置は、イベントの種類の報知を音声によって行うため、周囲の人に迷惑になるおそれがある。
【０００８】
そこで、本発明は、イベントの発生と、発生したイベントの種類とを音を発生させずに報知する充電台を提供することを目的とする。
【課題を解決するための手段】
【０００９】
本発明による充電台は、携帯情報端末の充電台であって、携帯情報端末から携帯情報端末で発生したイベントを示す情報を受信する通信手段と、携帯情報端末で発生したイベントを報知する報知手段と、通信手段が携帯情報端末から受信した情報の種類に応じて、報知手段の動作を制御する制御手段とを備えたことを特徴とする。
【００１０】
周囲に人がいるか否かを検知する検知手段を備えてもよく、制御手段は、検知手段が周囲に人がいるか否かを検知した結果に応じて報知手段の動作を制御してもよい。そのような構成によれば、周囲に人がいるか否かに応じてイベントの発生を報知する方法を決定することができる。
【００１１】
報知手段は、充電台を動かす駆動部を含んでもよく、制御手段は、携帯情報端末から受信した情報の種類に応じて、報知手段の駆動部の動きを制御してもよい。そのような構成によれば、イベントの発生と、発生したイベントの種類とを、充電台の動きによって報知することができる。
【００１２】
報知手段は、情報を表示する表示部を含んでもよく、制御手段は、携帯情報端末から受信した情報の種類に応じて、報知手段の表示部が表示する内容を制御してもよい。そのような構成によれば、イベントの発生と、発生したイベントの種類とを、表示部の表示によって報知することができる。
【００１３】
本発明によるイベント発生報知方法は、携帯情報端末の充電台が、携帯情報端末でイベントが発生したことを報知する方法であって、携帯情報端末から携帯情報端末で発生したイベントを示す情報を受信し、携帯情報端末から受信した情報の種類に応じて、携帯情報端末で発生したイベントを報知する方法を決定し、決定したイベントを報知する方法で携帯情報端末で発生したイベントを報知することを特徴とする。
【００１４】
周囲に人がいるか否かを検知してもよく、周囲に人がいるか否かを検知した結果に応じて、イベントの発生を報知する方法を決定してもよい。そのような方法によれば、周囲に人がいるか否かに応じてイベントの発生を報知する方法を決定することができる。
【発明の効果】
【００１５】
本発明によれば、充電中の携帯情報端末において、ユーザへのイベントの発生と、発生したイベントの種類とを、音を発生させずに報知することができる。
【発明を実施するための最良の形態】
【００１６】
本発明の実施の形態について図面を参照して説明する。図１は、本発明の実施の形態の充電台１の一構成例を示すブロック図である。
【００１７】
充電台１は、携帯情報端末の一例としての携帯電話機２の状態や設定を受信し、充電台１の状態や周囲の状況を携帯電話機２に送信する通信部（通信手段）１１、周囲に人がいるか否かを検知するセンサ部（検知手段）１５、充電台の状態を検出する姿勢検知部１６、充電台１を動かしたり、情報を表示したりする駆動・表示部（報知手段、駆動部、表示部）１４、各部を制御する制御部１２、および各部を接続するバス１３を含む。
【００１８】
充電台１と携帯電話機２とは、通信部１１を介して、例えば、調歩同期式シリアル信号で通信を行う。制御部１２は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）等によって実現され、各種イベントが発生したときに充電台１が行う動作の設定を格納している。
【００１９】
駆動・表示部１０は、回転などの動作を行うためのモータ等の駆動デバイスや、イルミネーション表示、アニメーション表示等を行うためのＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）等の表示デバイス３１によって構成されている。
【００２０】
センサ部１５は、携帯電話機２が充電台１に接続されているか否かを検出する回路、および充電台１の周囲に人がいるか否かを検知する、例えば、焦電素子や、超音波センサ等のセンサによって実現される。姿勢検知部１６は、充電台１がどのような状態であるのかを検出するポジションセンサ等によって実現される。
【００２１】
図２は、本発明の充電台１の一外観例を示す斜視図である。充電台１は、携帯電話機２と接続し、携帯電話機２を充電する上段部１ａ、ＬＣＤ等の表示デバイス３１と、周囲に人がいるか否かを検知するセンサ１５ａ〜１５ｆとを備えた中段部１ｂ、および充電台１を移動させる車輪３０ａ〜３０ｄを備えた下段部１ｃを含む。なお、携帯電話機２を接続したときに、携帯電話機２の表示部２３が正面となる面を、充電台１の前面とする。
【００２２】
図３は、中段部１ｂを上面から見た断面図である。図３に示すように、センサ１５ａは前方右側に設置され、センサ１５ｂは前方左側に設置され、センサ１５ｆは後方右側に設置され、センサ１５ｅは後方左側に設置され、センサ１５ｃは前面右側に設置され、センサ１５ｄは前面左側に設置される。また、センサ１５ａ、センサ１５ｂ、センサ１５ｅおよびセンサ１５ｆには、指向性の広い（例えば、水平面上で１８０°等）センサが用いられ、センサ１５ｃおよびセンサ１５ｄには、指向性の狭い（例えば、水平面上で３０°等）センサが用いられる。図４は、指向性の狭いセンサであるセンサ１５ｃの一構成例を示す説明図である。図４（ａ）は、指向性の狭いセンサであるセンサ１５ｃの側面図であり、図４（ｂ）は、指向性の狭いセンサであるセンサ１５ｃの斜視図である。なお、センサ１５ｄは、センサ１５ｃと同様な構成である。図５は、本発明の充電台１の側面断面図である。上段部１ａと中段部１ｂとは軸３３を介して接続され、軸３３はモータ３２ｃに接続され、モータ３２ｃが回転動作を行うと上段部１ａを回転させる回転動作を行わせる。また、軸３３は、軸３３を上下に動かすモータ（図示せず）と接続され、モータの回転動作に応じて上段部１ａを上下に動かす上下振動動作を行わせる。
【００２３】
中段部１ｂと下段部１ｃとはジンバル構造部１４によって接続される。図６は、ジンバル構造部１４の一構成例を示す説明図である。ジンバル構造部１４は、中段部１ｂの下部に設置される楕円部１４ａ、楕円部１４ａを支持する軸受部１４ｂ、および下段部１ｃの軸受部１４ｂを回転させるモータ１４ｃによって構成される。モータ１４ｃが回転動作を行うと、中段部１ｂの軸受部１４ｂが回転して楕円部１４ａを移動させる。すると、中段部１ｂが傾く角度が変化し、中段部１ｂおよび上段部１ａは、例えば、振り子のように左右に振れる左右振動動作を行う。
【００２４】
図７は、本発明の充電台１を下から見た図である。図６に示すように、下段部１ｃには４つの車輪３０ａ〜３０ｄが設置されている。前部の車輪である車輪３０ａおよび車輪３０ｂは、モータ３２ａに接続され、モータ３２ａの動作に従って水平面上の向きが変化する。後部の車輪である車輪３０ｃおよび車輪３０ｄは、モータ３２ｂの動作に従って回転する。
【００２５】
制御部１２は、センサ１５ａ〜１５ｆのうち、人を検知したセンサに応じて、モータ３２ａおよびモータ３２ｂの動作を制御する。人を検知したセンサに応じて制御部１２が行う各モータの制御について説明する。図８は、人を検知したセンサに応じて制御部１２が行う各モータの制御を説明するフローチャートである。
【００２６】
センサ１５ａまたはセンサ１５ｆが人を検知すると（ステップＳ１０１）、センサ１５ｃおよびセンサ１５ｄが人を検知するまで、充電台１を右に転回させる（ステップＳ１０２）。具体的には、制御部１２は、センサ１５ｃおよびセンサ１５ｄが人を検知するまで、モータ３２ａに、車輪３０ａおよび車輪３０ｂの向きを右に変化させ、モータ３２ｂを回転させて、車輪３０ｃおよび車輪３０ｄを回転させる。すると、充電台１は右に転回する。
【００２７】
センサ１５ｂまたはセンサ１５ｅが人を検知すると（ステップＳ１０３）、センサ１５ｃおよびセンサ１５ｄが人を検知するまで、充電台１を左に転回させる（ステップＳ１０４）。具体的には、制御部１２は、センサ１５ｃおよびセンサ１５ｄが人を検知するまで、モータ３２ａに、車輪３０ａおよび車輪３０ｂの向きを左に変化させ、モータ３２ｂを回転させて、車輪３０ｃおよび車輪３０ｄを回転させる。すると、充電台１は左に転回する。
【００２８】
センサ１５ｃおよびセンサ１５ｄが人を検知すると、制御部１２は、モータ３２ａに、車輪３０ａおよび車輪３０ｂの向きを前面に垂直な方向に変化させ、モータ３２ｂを回転させて、車輪３０ｃおよび車輪３０ｄを回転させる。すると、充電台１は、前進する。充電台１が人に接近すると、センサ１５ｃ検知する範囲とセンサ１５ｄが検知する範囲との間に人が位置するようになり、センサ１５ｃおよびセンサ１５ｄは人を検知しなくなる。そのため、制御部１２は、センサ１５ｃおよびセンサ１５ｄが人を検知しなくなるまで、モータ３２ｂを回転させて、車輪３０ｃおよび車輪３０ｄを回転させ、充電台１を前進させる（ステップＳ１０５）。
【００２９】
なお、駆動・表示部１０は、各モータを含み、センサ部１５は、各センサを含む。また、上段部１ａと中段部１ｂとは、例えば、スリップリング等で電気的に接続され、中段部１ｂと下段部１ｃとは電気ケーブル等によって接続される。
【００３０】
図９は、本発明の実施の形態の携帯電話機２の一構成例を示すブロック図である。本発明の実施の形態の携帯電話機２は、アンテナ２１、アンテナ２１を介して無線信号を送受信する無線部２２、情報を表示する表示部２３、マイクロフォンである送話器２４、スピーカである受話器２５、情報を記憶する記憶部２６、充電台１と情報の送受信を行う通信部２７、および各部を制御する制御部２８を含む。
【００３１】
次に、本発明の実施の形態の動作について図面を参照して説明する。図１０および図１１は、本発明の実施の形態の動作を説明するフローチャートである。
【００３２】
携帯電話機２は、イベントが発生すると（ステップＳ２０１）、充電台１に接続しているか否かを判断する（ステップＳ２０２）。具体的には、制御部２８が、通信部２７を介して充電台１に接続しているか否かを確認する確認コマンドを充電台１に送信する。携帯電話機２の制御部１２は、通信部１１を介して確認コマンドを受信すると、通信部１１と携帯電話機２の通信部２７とを介して、接続していることを示す情報を携帯電話機２の制御部２８に送信する。携帯電話機２の制御部２８は、接続していることを示す情報を受信すると、充電台１と接続していると判断し、所定の時間が経過しても接続していることを示す情報を受信しないと、充電台１に接続していないと判断する。充電台１に携帯電話機２が接続していない場合、充電台１は動作しない。そして、携帯電話機２は、予め設定されている通常のイベント発生報知動作（例えば、着信音鳴動やバイブレータ駆動）を行う（ステップＳ２０３）。
【００３３】
携帯電話機２の制御部２８は、充電台１と接続していると判断すると、携帯電話機２の記憶部２６が、充電台１に接続している場合の動作を記憶しているか否かを確認する（ステップＳ２０４）。ここで、携帯電話機２の記憶部２６が、充電台１に接続しているときの動作を示す情報を記憶していない場合、携帯電話機２は、イベントが発生すると、バイブレータ駆動を行わず、イベントの発生を報知する音を発生する（ステップＳ２０５）。
【００３４】
携帯電話機２の記憶部２６が、充電台１に接続しているときの動作を示す情報を記憶していた場合、携帯電話機２の制御部２８は、通信部２７と充電台１の通信部１１とを介して、センサ部１５に周囲に人がいるか否かを検知させることを示す検知コマンドを制御部１２に送信する。制御部１２は、検知コマンドを受信すると、センサ部１５に、周囲に人がいるか否かを検知させる（ステップＳ２０６）。センサ部１５が周囲の人を検知しなかった場合、制御部１２は、充電台１の周囲に人がいないことを示す情報を通信部１１と携帯電話機２の通信部２７とを介して携帯電話機２の制御部２８に送信する。携帯電話機２の制御部２８は、充電台１の周囲に人がいないことを示す情報を受信すると、記憶部２６が充電台１の周囲に人がいない場合の動作を記憶しているか否かを確認する（ステップＳ２０７）。携帯電話機２の制御部２８は、記憶部２６が充電台１の周囲に人がいない場合の動作を記憶している場合、記憶部２６が記憶している動作に従って、イベント発生履歴を表示部２３に表示させたり、留守番電話機能を実行したりする（ステップＳ２０８）。
【００３５】
センサ部１５が周囲の人を検知すると、充電台１の制御部１２は、駆動・表示部１０に、充電台１を人のいる方向に移動させる（ステップＳ２０９）。制御部１２が充電台１を人のいる方向に移動させるとき、制御部１２は、図８に示したフローチャートにもとづいて動作する。なお、このとき制御部１２は、充電台１を人のいる方向に移動させずに、人のいる方向に充電台１の前面を向けるように、向きを変えさせるだけでもよい。
【００３６】
携帯電話機２の制御部２８が、イベント発生履歴を表示部２３に表示させた後の動作、携帯電話機２の記憶部が充電台１の周囲に人がいない場合の動作を記憶していない場合、および充電台１が人のいる方向に移動した後の動作を、図１１のフローチャートを参照して説明する。
【００３７】
携帯電話機２の制御部２８は、通信部２７と充電台１の通信部１１とを介して、イベントの発生と発生したイベントの種類とを示す制御コマンドを充電台１の制御部１２に送信する。イベントが音声着信であった場合（ステップＳ２１０）、携帯電話機２の制御部２８は、通信部２７と充電台１の通信部１１とを介して、音声着信の発生を示す制御コマンドを充電台１の制御部１２に送信する。充電台の制御部１２は、駆動・表示部１０に、例えば、充電台１を回転させる回転動作を行わせる（ステップＳ２１１）。このとき、携帯電話機２の制御部は、音声着信が終了するまで制御コマンドを継続して送信し、充電台の制御部１２は、制御コマンドの受信中は駆動・表示部１０に充電台１の回転を継続させる。
【００３８】
また、イベントが電子メールの着信であった場合（ステップＳ２１２）、携帯電話機２の制御部２８は、通信部２７と充電台１の通信部１１とを介して、電子メールの着信を示す制御コマンドを充電台１の制御部１２に送信する。充電台の制御部１２は、駆動・表示部１０に、例えば、所定の時間、携帯電話機２を左右に振り子のように振らせる左右振動動作を行わせる（ステップＳ２１３）。
【００３９】
そして、イベントが時刻アラームの鳴動であった場合（ステップＳ２１４）、携帯電話機２の制御部２８は、通信部２７と充電台１の通信部１１とを介して、アラームの鳴動を示す制御コマンドを充電台１の制御部１２に送信する。充電台の制御部１２は、駆動・表示部１０に、例えば、所定のアラーム鳴動時間の間、携帯電話機２を上下に振動させる上下振動動作を行わせる（ステップＳ２１５）。
【００４０】
また、イベントが携帯電話機２の充電の終了であった場合（ステップＳ２１６）、携帯電話機２の制御部２８は、通信部２７と充電台１の通信部１１とを介して、充電の終了を示す制御コマンドを充電台１の制御部１２に送信する。充電台の制御部１２は、駆動・表示部１０に、例えば、携帯電話機２を１８０°回転させて固定させる（ステップＳ２１７）。
【００４１】
なお、制御部１２は、駆動・表示部１０の表示デバイス３１のＬＥＤやＬＣＤが表示するイルミネーションを変化させる等して、擬似的に充電台１が動いているようにユーザに見せてもよい。
【００４２】
また、制御部１２の代わりに、充電台１の動作の制御を携帯電話機２の制御部２８が行ってもよい。
【００４３】
なお、制御部１２は、携帯電話機２が着信した通話の発信元に応じて、上段部１ａを回転させる速度や回転方向を変化させてもよいし、軸３３の回転とジンバル構造部１４の動作とを組み合わせて、上段部１ａをローリングや、ピッチング、ヨーイングさせて回転の種類を変化させてもよい。また、中段部１ｂと下段部１ｃとの接続は、ジンバル構造でなくてもよく、例えば、自由雲台や、ジャイロスコープ等を用いた接続であってもよい。
【００４４】
以上、述べたように、この実施の形態によれば、充電中の携帯電話機２におけるイベント発生とイベントの種類との報知を、音を発生させずに、より際だたせて行うことができる。
【００４５】
また、この実施の形態によれば、携帯電話機２を充電台１に接続すると、ユーザへのイベントの発生と、発生したイベントの種類とを報知する方法を切り替えるため、ユーザは、面倒な設定の変更を充電の度に行う必要がなくなる。
【００４６】
さらに、この実施の形態によれば、発生したイベントが、例えば、音声着信等のようにユーザに他の人がアクセスしたものであった場合、センサが周囲に人がいるか否かを検知し、センサが周囲の人を検知しないと留守番電話機能を実行したりすることによって、人が周囲にいないことを発信者へ通知することができる。
【００４７】
なお、本発明による充電台の構成は、この実施例に記載した構成に限定されるものではなく、充電台に複数種類の動作を行わせることができる構成であればよい。
【産業上の利用可能性】
【００４８】
本発明は、ユーザが音を発生させたくない場所で用いる携帯情報端末の充電台に利用することができる。
【図面の簡単な説明】
【００４９】
【図１】本発明の実施の形態の充電台の一構成例を示すブロック図である。
【図２】本発明の充電台の一外観例を示す斜視図である。
【図３】中段部を上面から見た断面図である。
【図４】指向性の狭いセンサの一構成例を示す説明図である。
【図５】本発明の充電台の側面断面図である。
【図６】ジンバル構造部の一構成例を示す説明図である。
【図７】本発明の充電台を下から見た図である。
【図８】人を検知したセンサに応じて制御部が行う各モータの制御を説明するフローチャートである。
【図９】本発明の実施の形態の携帯電話機の一構成例を示すブロック図である。
【図１０】本発明の実施の形態の動作を説明する第１のフローチャートである。
【図１１】本発明の実施の形態の動作を説明する第２のフローチャートである。
【符号の説明】
【００５０】
１  充電台
１ａ  上段部
１ｂ  中段部
１ｃ  下段部
２  携帯電話機
１０  駆動・表示部
１１、２７  通信部
１２、２８  制御部
１３  バス
１４  ジンバル構造部
１４ａ  楕円部
１４ｂ  軸受部
１４ｃ  モータ
１５  センサ部
１５ａ、１５ｂ、１５ｃ、１５ｄ、１５ｅ、１５ｆ  センサ
１６  姿勢検知部
２１  アンテナ
２２  無線部
２３  表示部
２４  送話器
２５  受話器
２６  記憶部
３０ａ、３０ｂ、３０ｃ、３０ｄ  車輪
３１  表示デバイス
３２ａ、３２ｂ、３２ｃ  モータ
３３  軸
【図１】
2006041746.tif 000003
【図２】
2006041746.tif 000004
【図３】
2006041746.tif 000005
【図４】
2006041746.tif 000006
【図５】
2006041746.tif 000007
【図６】
2006041746.tif 000008
【図７】
2006041746.tif 000009
【図８】
2006041746.tif 000010
【図９】
2006041746.tif 000011
【図１０】
2006041746.tif 000012
【図１１】
2006041746.tif 000013